(57)【要約】【課題】放射線治療の治療現場の実情に即した、自由度の高い治療スケジュールを立案できる放射線治療スケジューリングシステムを得る。【解決手段】患者に関する治療計画情報を格納する治療計画情報格納手段１と、放射線治療の照射単位である門の組み合わせを設定する門組み合わせ設定手段２と、門の組み合わせであるセッションの順番の組み合わせを設定するセッション順番組み合わせ設定手段３と、治療開始日付と治療予定時刻を設定する治療開始予定日時設定手段４と、上記各手段からの情報をもとに患者の治療スケジュールを立案する治療スケジュール立案手段６と、立案された治療スケジュール結果を格納する治療スケジュール結果格納手段７と、立案結果を表示する立案結果表示手段８とを備えて構成した。【選択図】        図１
2004337371.tif 000002
【特許請求の範囲】
【請求項１】
患者に関する治療計画情報を格納する治療計画情報格納手段と、放射線治療の照射単位である門の組み合わせを設定する門組み合わせ設定手段と、上記門の組み合わせであるセッションの順番の組み合わせを設定するセッション順番組み合わせ設定手段と、治療開始日付と治療予定時刻を設定する治療開始予定日時設定手段と、上記各手段からの情報をもとに患者の治療スケジュールを立案する治療スケジュール立案手段と、立案された治療スケジュールの立案結果を格納する治療スケジュール結果格納手段と、上記立案結果を表示する立案結果表示手段とを備えたことを特徴とする放射線治療スケジューリングシステム。
【請求項２】
請求項１記載の放射線治療スケジューリングシステムにおいて、カレンダー日付指定手段を設け、セッションをカレンダーに任意に割り付けることを特徴とする放射線治療スケジューリングシステム。
【請求項３】
請求項１記載の放射線治療スケジューリングシステムにおいて、照射条件入力設定手段を設け、入力した上記照射条件を加えて治療スケジュールを立案することを特徴とする放射線治療スケジューリングシステム。
【請求項４】
請求項１記載の放射線治療スケジューリングシステムにおいて、治療スケジュール整合性チェック手段を設け、治療計画と立案結果の整合性をチェックすることを特徴とする放射線治療スケジューリングシステム。
【請求項５】
請求項１記載の放射線治療スケジューリングシステムにおいて、治療時に治療パラメータを修正して放射線治療装置側へ出力する治療パラメータ修正出力手段を設け、修正した内容を治療スケジュール立案手段にフィードバックすることを特徴とする放射線治療スケジューリングシステム。
【発明の詳細な説明】
【０００１】
【発明の属する技術分野】
この発明は、放射線治療装置による放射線治療の治療スケジュールを立案するための放射線治療スケジューリングシステムに関するものである。
【０００２】
【従来の技術】
癌治療法の一つである放射線治療は、光子、電子線、粒子線等を患部に照射して治療を行うものである。治療に当たっては、まず患者の治療部位に放射線の具体的な照射内容を定義する「治療計画」と呼ばれるものが患者毎に作成される。その治療計画に基づく一回の放射線治療は、一般に複数の照射の組み合わせから構成され、その治療を何回か繰り返す（複数日に亘り治療を繰り返す）ことにより、癌治療がなされる。放射線治療の単位となるその一回の照射を照射門（以下、門と略す）と称し、使用する放射線の種類、強度（エネルギー）、線量、照射野、照射方向等が指定される。この門の組み合わせをセッションと称する。治療に当たっては、セッションとその治療予定日をスケジューリングし治療を進めていくこととなる。すなわち、スケジューリングには治療予定日、セッション等が指定されており、そのスケジューリングを治療スケジュールと称する。
【０００３】
従来の放射線治療スケジューリングシステムは、患者に関する情報を格納する患者情報格納手段と、各患者に必要な治療内容を示す治療計画を格納する治療計画格納手段と、放射線照射装置に関する情報を格納する照射装置情報格納手段と、治療室に関する情報を格納する治療室情報格納手段と、各照射の治療開始日から７日単位に治療スケジュールの評価を行い、治療計画に則った各患者の治療日時と、各治療で使用する放射線照射装置および治療室を決定する治療スケジュール立案手段と、立案結果を格納する立案結果格納手段と、立案結果を表示する立案結果表示手段とを備え、各照射の治療開始日に関わらず１週間毎の評価を同じように行うように構成されている。
すなわち、１週間の曜日を１単位として治療スケジュールが実施される。また、治療は治療計画で決められた門の組み合わせが基本となっている（例えば、特許文献１参照）。
【０００４】
【特許文献１】
特開２０００−２４２７１９号公報（第２頁、図１及び図２）
【０００５】
【発明が解決しようとする課題】
従来の放射線治療スケジューリングシステムは、上記のように構成されているので、週単位での繰り返し治療スケジューリングしかできず、例えば１日目はＡセッション２日目はＢセッションと、ＡＢを交互に繰り返すような治療スケジューリングができなかった。また、治療計画に基づく門組み合わせからなるセッション構成が基本となっているので、例えば門ａ、門ｂの組み合わせをセッションＡとし、そのセッションを繰り返す代わりに、門ａ、門ａの組み合わせをセッションＢとし、門ｂ、門ｂの組み合わせをセッションＣとし、例えば、一日目はセッションＢ、二日目はセッションＣ、三日目はセッションＢのように繰り返し、全体としてはセッションＡの繰り返しと同じとなるような治療スケジューリングができなかった。
【０００６】
また、放射線治療の実現場においては、放射線照射方向が０度と１８０度の門を組み合わせて１セッションとする場合、放射線治療装置の回転時間の短縮を含む治療効率向上のため、一日目は０度からの門を２回照射し、二日目は１８０度からの門を２回照射するようなやり方で、三日目、四日目と繰り返して治療がなされることがある。また、放射線治療の最初の頃は照射線量を少な目にし、患者が慣れてくると治療計画通りの照射線量で治療していくような方法もとられている。また、治療実施当日に患者の状態により照射線量を調整することも、実際の放射線治療においては行われている。
【０００７】
この発明は、上記のような治療現場での治療スケジューリングの問題点を解決するためになされたもので、週単位の治療スケジューリングにとらわれず、セッションを任意に組み合わせた自由度の高い治療スケジューリングを可能とするスケジューリングシステムを提供することを目的とする。
【０００８】
【課題を解決するための手段】
この発明による放射線治療スケジューリングシステムは、患者に関する治療計画情報を格納する治療計画情報格納手段と、放射線治療の照射単位である門の組み合わせを設定する門組み合わせ設定手段と、門の組み合わせであるセッションの順番の組み合わせを設定するセッション順番組み合わせ設定手段と、治療開始日付と治療予定時刻を設定する治療開始予定日時設定手段と、各手段からの情報をもとに患者の治療スケジュールを立案する治療スケジュール立案手段と、立案された治療スケジュールの立案結果を格納する治療スケジュール結果格納手段と、立案結果を表示する立案結果表示手段とを備えたものである。
【０００９】
【発明の実施の形態】
実施の形態１．
図１は実施の形態１による放射線治療スケジューリングシステムを示す構成図である。図において、治療計画情報格納手段１は、患者ごとに作成された治療計画情報を取り込み格納するものである。治療計画情報としては、患者の治療する部位にトータルいくらの線量を当てるかの情報、及び治療計画におけるセッションを構成する各門の治療情報（使用する放射線の種類、エネルギー強度、線量、照射野形状、照射方向、補正フィルタなどの付属品情報等）が指定される。門組み合わせ設定手段２は、治療スケジュール作成において使用するセッションを構成する門の組み合わせを指定するものである。セッション順番組み合わせ設定手段３は、門組み合わせ設定手段２で定義された各セッションの照射順番・組み合わせを指定するものである。治療予定日時設定手段４は、治療スケジュール作成において使用する治療開始日付と治療予定時刻を設定登録するものである。治療可能日カレンダー情報５は、治療スケジュール作成において割り振り可能な日を登録するものである。治療スケジュール立案手段６は治療スケジュールを生成する演算処理部である。治療スケジュール結果格納手段７は治療スケジュール立案手段６により生成された治療スケジュール結果を格納するものである。立案結果表示手段８は立案された結果を表示するものである。１〜８までで本実施の形態の放射線治療スケジューリングシステムを構成している。
【００１０】
立案された治療スケジュールは放射線治療装置側の該当治療パラメータ選択転送手段１０に送られ、ここで、立案されたスケジュールに適した治療パラメータを、治療パラメータ格納手段９から選択して引き出し、放射線治療装置１１に転送される。放射線治療装置１１では転送されてきた治療パラメータ情報の指示に従って照射を実施する。
なお、上記治療パラメータ格納手段９が格納している治療パラメータとは、放射線治療スケジューリングシステム側から来る治療計画情報の不足分を追加する情報、例えば、照射技法（回転照射、不整形照射等）や線量率（一分間の照射線量規定）等、およびそれらを放射線治療装置１１を制御するフォーマットに加工した情報のことである。
【００１１】
次に動作について説明する。治療計画情報格納手段１に格納した治療計画情報から、治療セッションの実施回数、門の照射回数を求める。例えば、治療計画情報には患部に照射する総照射線量やセッションを構成する各門の照射線量等が規定されているので、１セッションでの照射線量が規定され、また、総照射線量からこの治療は何回のセッションから構成されるかが判明する。同時に各門は何回の照射かも判明する。これにより、治療計画で指定される条件を求めることができる。これらの手順は立案者によって手動設定される等の別の手段によって定義されてもよい。
【００１２】
門組み合わせ設定手段２では、治療計画で設定された門の組み合わせを定義する。例えば治療計画においてはセッションが門Ａ１回、門Ｂ１回の照射より構成されている場合、門Ａ２回を治療スケジューリング用のセッションｂ、門Ｂ２回セッションｃとして規定し、治療スケジューリング用のセッション情報として登録する。
【００１３】
セッション順番組み合わせ手段３では、門組み合わせ設定手段２で定義されたセッションをどのような順番，組み合わせでスケジューリングするかを指定する。例えば、順番をセッションｂ→セッションｃと規定した場合、一回目治療はセッションｂ、二回目治療はセッションｃ、三回目治療はセッションｂと言うようにｂ，ｃの順でスケジューリングされる。次にセッションをどのように組み合わせるかを指定する。組み合わせは任意であり、最初の５回はセッションｂ、次の５回はセッションｃのような指定も可能である。
【００１４】
次に、治療計画情報格納手段１，門組み合わせ設定手段２，セッション順番組み合わせ手段３で設定された各条件と、治療予定日時設定手段４の治療開始予定日と、治療可能日カレンダー情報５の治療可能日情報とをもとに、治療スケジュール立案手段６によって治療スケジュールを演算し生成する。治療スケジュール立案手段６は、一週間の総照射線量が法定上限以下と言うような、スケジュールを立案する上での制約条件や、考慮すべき評価項目の評価値や評価条件を満足しているかどうか、また、照射条件と矛盾を生じていないか等をチェックし、配分する機能を有している。例えば、予定総照射線量をオーバーしないようにｍａｘ回数をチェックすると同時に、その回数範囲内で指定条件に従って日付を配分する。また、休日等をスキップする等の機能を有している。
【００１５】
このようにして立案された立案結果の一例を図２に示す。例えば、セッション順番組み合わせ手段３で、セッションｂ（門Ａ＋門Ａ）→セッションｃ（門Ｂ＋門Ｂ）の組み合わせ順番とし、治療可能日カレンダー情報５において、月、水、金曜日を治療可能日と指定し、治療開始日を７月１日月曜日とすれば、７／１（月）に門Ａ＋門Ａ，７／３（水）に門Ｂ＋門Ｂ，７／５（金）に門Ａ＋門Ａ，７／８（月）に門Ｂ＋門Ｂ、・・・のような変則的な治療スケジューリングが立案できる。
【００１６】
なお、上記スケジュールはカレンダー対応とすることにより治療実施日付は具体的日付でスケジューリングされる場合について説明したが、セッションの順番のみの規定によってスケジューリングすることにより、一回目はセッションｂ、２回目はセッションｃ、三回目はセッションｂ、と言うように日付ではなく治療順番のみをスケジューリングしてもよい。この場合は、治療可能日カレンダー情報５は不要である。
【００１７】
本実施の形態による放射線治療スケジューリングシステムによれば、セッションを任意に組み合せて、自由度の高い変則的なシーケンスによる治療スケジュールを立案できる。
【００１８】
実施の形態２．
図３は実施の形態２による放射線治療スケジューリングシステムを示す構成図である。図において、１〜４、６〜１１は実施の形態１で説明した図１と同様なので符号と動作の説明は省略する。図１の治療可能日カレンダー情報５の代わりにカレンダー日付指定手段１２を設けたのが図１との相違点である。カレンダー日付指定手段１２は、門組み合わせ設定手段２及びセッション順番組み合わせ設定手段３にて定義されたセッションをカレンダーに登録するものである。このとき、セッション順番組み合わせ設定手段３の順番を考慮しつつ、状況に合わせ、カレンダー日付指定手段１２にて任意にセッション順番を指定し、カレンダーの日付に割り付けていく。
【００１９】
図４は、治療スケジュール立案手段６で立案するスケジューリングの一例を示す図である。門Ａ，門Ａの組み合わせをセッションＡ、門Ｂ，門Ｂの組み合わせをセッションＢ、門Ａ，門Ｂの組み合わせをセッションＣとすると、例えば図のように、照射予定開始日（この場合２日）から順番にセッションＡ，セッションＢ，セッションＡ，セッションＢ，セッションＡ，セッションＣ，セッションＣと定義されている。
【００２０】
本実施の形態によれば、カレンダー日付指定手段を設けたので、実施の形態１の効果に加え、指定したカレンダー日付に任意にセッションを割り付けることができ、より自由度の高い治療スケジュールが可能となる。
【００２１】
実施の形態３．
図５は実施の形態３による放射線治療スケジューリングシステムを示す構成図である。図において、１〜１１は実施の形態１で説明した図１と同様なので符号と動作の説明は省略する。図１の構成に加えて照射条件入力設定手段１３を設けた部分が図１との相違点である。照射条件入力設定手段１３は、治療スケジューリングヘの条件を設定するものである。例えば、治療当初４回は照射線量を１／２に設定する等の指定を行う。この指定に基づき、治療スケジュール立案手段６によって演算処理を行い、指定条件に基づく治療スケジューリングが自動的に立案生成される。
【００２２】
図６に立案された治療スケジュールの一例を示す。１回目が門Ａ，門Ａの組み合わせで照射線量がそれぞれ１／２、２回目が門Ｂ，門Ｂの組み合わせで照射線量がそれぞれ１／２、・・・と言うように治療当初４回の照射線量を１／２にし、当初の減った照射線量分がＮ＋１回目、Ｎ＋２回目と追加補正された治療スケジュールとして立案されている。
【００２３】
本実施の形態による発明によれば、治療スケジュールの条件を設定できるので、実施に形態１の効果に加え、治療スケジュールの補正を簡単に行うことができる。
【００２４】
実施の形態４．
図７は実施の形態４による放射線治療スケジューリングシステムを示す構成図である。図において、１〜１１は実施の形態１で説明した図１と同様なので符号と動作の説明は省略する。図１との相違点は、治療スケジュール整合性チェック手段１４を設けた点である。治療スケジュール整合性チェック手段１４は、治療スケジューリングの結果と治療計画からの指示内容とを比較し、作成された治療スケジュールがその治療計画と整合性があるかどうかをチェックするものである。間違っている場合は間違い内容を立案結果表示手段８に表示して立案者に提示する。例えば、治療計画で指定されている照射予定総線量に対し、立てられた治療スケジュールの各セッションの線量合計がそれを越えるような矛盾が生じた場合に、その旨の警告を表示する。また門Ａと門Ｂの総数が不一致の場合その旨の警告を表示し、治療スケジュール立案者に修正を促す。
【００２５】
本実施の形態による発明によれば、治療スケジュール整合性チェック手段を設けたので、実施の形態１の効果に加え、スケジュール立案者に不整合部分の警告を表示でき、それに従って立案者が修正を加えることにより、間違いのない放射線治療スケジュールを提供することができる。
【００２６】
実施の形態５．
図８は実施の形態５による放射線治療スケジューリングシステムを示す構成図である。図において、１〜１１は実施の形態１で説明した図１と同様なので符号と動作の説明は省略する。図１との相違点は、該当治療パラメータ修正出力手段１５を設けた点である。該当治療パラメータ修正出力手段１５は、治療に当たって治療スケジュールに該当する治療パラメータを放射線治療装置１１側に転送するときに修正を加えることができるものである。その修正した内容は、治療スケジュール立案手段６へフィードパックできるようになっている。
【００２７】
図９は本実施の形態により修正立案された治療スケジュールの一例である。例えば、治療時の患者の状態により、３回目の７月５日に照射線量を１／２に減らした場合、その修正情報を治療スケジュール立案手段６が受取り、先に立案されていた治療スケジュールの後にＮ＋１回目として補正を加えた治療スケジュールを作成する。
【００２８】
本実施の形態による発明によれば、該当治療パラメータ修正出力手段を設けたので、実施の形態１の効果に加え、患者の状況に応じて治療時に修正した修正内容に対応した再治療スケジュールを立案することができる。
【００２９】
【発明の効果】
この発明によれば、患者に関する治療計画情報を格納する治療計画情報格納手段と、放射線治療の照射単位である門の組み合わせを設定する門組み合わせ設定手段と、門の組み合わせであるセッションの順番の組み合わせを設定するセッション順番組み合わせ設定手段と、治療開始日付と治療予定時刻を設定する治療開始予定日時設定手段と、上記各手段からの情報をもとに患者の治療スケジュールを立案する治療スケジュール立案手段と、立案された治療スケジュール結果を格納する治療スケジュール結果格納手段と、立案結果表示手段を備えたので、セッションの組み合わせを任意に行える、自由度の高い変則的は治療スケジューリングが可能となる。従って、治療現場の実体に合致した治療スケジュールを提供することができる。
【図面の簡単な説明】
【図１】この発明の実施の形態１による放射線治療スケジューリングシステムを示す構成図である。
【図２】図１の放射線治療スケジューリングシステムによる治療スケジュールの立案結果を示す図である。
【図３】この発明の実施の形態２による放射線治療スケジューリングシステムを示す構成図である。
【図４】図３の放射線治療スケジューリングシステムによって立案するスケジューリングの一例を示す図である。
【図５】この発明の実施の形態３による放射線治療スケジューリングシステムを示す構成図である。
【図６】図５の放射線治療スケジューリングシステムによる治療スケジュールの立案結果を示す図である。
【図７】この発明の実施の形態４による放射線治療スケジューリングシステムを示す構成図である。
【図８】この発明の実施の形態５による放射線治療スケジューリングシステムを示す構成図である。
【図９】図８の放射線治療スケジューリングシステムによる治療スケジュールの立案結果を示す図である。
【符号の説明】
１  治療計画情報格納手段
２  門組み合わせ設定手段
３  セッション順番組み合わせ設定手段
４  治療開始予定日時設定手段
５  治療可能日カレンダー情報
６  治療スケジュール立案手段
７  治療スケジュール結果格納手段
８  立案結果表示手段
１２  カレンダー日付指定手段
１３  照射条件入力設定手段
１４  治療スケジュール整合性チェック手段
１５  該当治療パラメータ修正出力手段。
【図１】
2004337371.tif 000003
【図２】
2004337371.tif 000004
【図３】
2004337371.tif 000005
【図４】
2004337371.tif 000006
【図５】
2004337371.tif 000007
【図６】
2004337371.tif 000008
【図７】
2004337371.tif 000009
【図８】
2004337371.tif 000010
【図９】
2004337371.tif 000011